【手続補正書】
【提出日】平成17年8月19日(2005.8.19)
【手続補正１】
【補正対象書類名】特許請求の範囲
【補正対象項目名】全文
【補正方法】変更
【補正の内容】
【特許請求の範囲】
【請求項１】
ハンドシェーク抑制によりデータ転送帯域幅を制限するための装置であって、
複数のクロック・サイクルを受信し、第１のリセット信号を発生し、前記第１のリセット信号を発生してから所定数のクロック・サイクル後に第２のリセット信号を発生するように構成された第１の装置と、
前記第１の装置に結合され、前記第１の装置から前記リセット信号を受信する第２の装置であって、前記リセット信号を受信し、第１のレディ・ツー・センド（ＲＴＳ：Ｒｅａｄｙ  Ｔｏ  Ｓｅｎｄ）ハンドシェーク信号および第１のレディ・ツー・レシーブ（ＲＴＲ：Ｒｅａｄｙ  Ｔｏ  Ｒｅｃｅｉｖｅ）ハンドシェーク信号を受信し、前記第１のリセット信号の受信と前記第２のリセット信号の受信との間で前記第１のＲＴＳハンドシェーク信号および前記第１のＲＴＲハンドシェーク信号を受け取った数を表すハンドシェーク・カウントを発生するように構成された前記第２の装置と、
前記第２の装置に結合され、前記第２の装置から前記ハンドシェーク・カウントを受信する第３の装置であって、前記ハンドシェーク・カウントと最大値との比較に基づいて非作動化信号を発生するように構成された前記第３の装置と、
前記第３の装置に結合され、前記第３の装置から前記非作動化信号を受信する第４の装置であって、前記非作動化信号に応答して、第２のＲＴＲハンドシェーク信号および前記第１のＲＴＳハンドシェーク信号を非作動化するように構成された第４の装置と、
を備える、前記ハンドシェーク抑制によりデータ転送帯域幅を制限するための装置。
【請求項２】
前記第３の装置が、前記最大値を制御するように構成されたコントローラを備える、請求項１に記載のハンドシェーク抑制によりデータ転送帯域幅を制限するための装置。
【請求項３】
前記第１の装置が、第１のアンド・ゲートおよび第１のカウンタを備え、
前記第２の装置が、第２のカウンタおよび第２のアンド・ゲートを備え、
前記第３の装置が、比較器およびＤ型フリップフロップを備え、
前記第４の装置が、第３のアンド・ゲートおよび第４のアンド・ゲートを備える、請求項１に記載のハンドシェーク抑制によりデータ転送帯域幅を制限するための装置。
【請求項４】
前記第２のカウンタが、２進カウンタを含む、請求項３に記載のハンドシェーク抑制によりデータ転送帯域幅を制限するための装置。
【請求項５】
前記第１の装置が、実質的に第１のアンド・ゲートおよび第１の２進カウンタからなり、
前記第２の装置が、実質的に第２の２進カウンタおよび第２のアンド・ゲートからなり、
前記第３の装置が、実質的にコントローラ、比較器、およびＤ型フリップフロップからなり、
前記第４の装置が、実質的に第３のアンド・ゲートおよび第４のアンド・ゲートからなる、請求項１に記載のハンドシェーク抑制によりデータ転送帯域幅を制限するための装置。
【請求項６】
ハンドシェーク抑制によりデータ転送帯域幅を制限する方法であって、
第１のクロック・サイクル数を計数するステップと、
第１のレディ・ツー・センド（ＲＴＳ）ハンドシェーク信号および第１のレディ・ツー・レシーブ（ＲＴＲ）ハンドシェーク信号の第１の発生数を計数するステップと、
前記第１のクロック・サイクル数、並びに前記第１のＲＴＳハンドシェーク信号および前記第１のＲＴＲハンドシェーク信号の前記第１の発生数に基づいて、第２のＲＴＳハンドシェーク信号および第２のＲＴＲハンドシェーク信号を抑制するステップと、
を含む、前記ハンドシェーク抑制によりデータ転送帯域幅を制限するための方法。
【請求項７】
前記第１のクロック・サイクル数、並びに前記第１のＲＴＳハンドシェーク信号および前記第１のＲＴＲハンドシェーク信号の前記第１の発生数に基づいて、前記第２のＲＴＳハンドシェーク信号および前記第２のＲＴＲハンドシェーク信号を抑制する前記ステップが、前記第１のＲＴＳハンドシェーク信号および前記第１のＲＴＲハンドシェーク信号の前記第１の発生数を第１の最大値と比較することを含む、請求項６に記載のハンドシェーク抑制によりデータ転送帯域幅を制限するための方法。
【請求項８】
第２のクロック・サイクル数を計数するステップと、
前記第１のＲＴＳハンドシェーク信号および前記第１のＲＴＲハンドシェーク信号の第２の発生数を計数するステップと、
前記第２のクロック・サイクル数、並びに前記第１のＲＴＳハンドシェーク信号および前記第１のＲＴＲハンドシェーク信号の第２の発生数に基づいて、前記第２のＲＴＳハンドシェーク信号および前記第２のＲＴＲハンドシェーク信号を抑制するステップと、
を含み、
前記第２のクロック・サイクル数、並びに前記第１のＲＴＳハンドシェーク信号および前記第１のＲＴＲハンドシェーク信号の前記第２の発生数に基づいて、前記第２のＲＴＳハンドシェーク信号および前記第２のＲＴＲハンドシェーク信号を抑制する前記ステップが、前記第１のＲＴＳハンドシェーク信号および前記第１のＲＴＲハンドシェーク信号の前記第２の発生数を第２の最大値と比較することを含む、請求項７に記載のハンドシェーク抑制によりデータ転送帯域幅を制限するための方法。
【請求項９】
ハンドシェーク抑制によりデータ転送帯域幅を制限するための装置であって、
クロック・サイクル数を計数する第１の手段と、
第１のレディ・ツー・センドハンドシェーク信号および第１のレディ・ツー・レシーブ（ＲＴＲ）ハンドシェーク信号の発生数を計数する第２の手段と、
前記第１の手段および前記第２の手段に結合され、前記第１の手段により計数された前記クロック・サイクル数が第１の値に達したとき前記第２の手段の計数をリセットする第３の手段と、
前記第２の手段に結合され、前記第２の手段により計数された前記第１のＲＴＳハンドシェーク信号および前記第１のＲＴＲハンドシェーク信号の前記発生数が第２の値に達したとき、第２のＲＴＲハンドシェーク信号および前記第１のＲＴＳハンドシェーク信号を抑制する第４の手段と、
を備える、前記ハンドシェーク抑制によりデータ転送帯域幅を制限するための装置。
【請求項１０】
前記第４の手段が、前記第２の値を受信する手段を備える、請求項９に記載のハンドシェーク抑制によりデータ転送帯域幅を制限するための装置。
【請求項１１】
前記第４の手段に結合され、前記第２の値を制御する第５の手段を備える、請求項１０に記載のハンドシェーク抑制によりデータ転送帯域幅を制限するための装置。
【手続補正２】
【補正対象書類名】明細書
【補正対象項目名】発明の名称
【補正方法】変更
【補正の内容】
【発明の名称】ハンドシェーク抑制によりデータ転送帯域幅を制限するための装置および方法
【手続補正３】
【補正対象書類名】明細書
【補正対象項目名】０００９
【補正方法】変更
【補正の内容】
【０００９】
ハンドシェーク抑制によりデータ転送帯域幅を制限するための装置は、クロック・サイクル数を計数する第１の手段と、第１のＲＴＳハンドシェーク信号と第１のＲＴＲハンドシェーク信号との同時発生数を計数する第２の手段と、第１および第２の手段に結合され、第１の手段により計数されたクロック・サイクル数が第１の値に達したとき、第２の手段の計数をリセットする第３の手段と、第２の手段に結合され、第２の手段により計数された第１のＲＴＳハンドシェーク信号と第１のＲＴＲハンドシェーク信号との同時発生数が第２の値に達したとき、第２のＲＴＲハンドシェーク信号および第１のＲＴＳハンドシェーク信号を抑制する第４の手段とを備えている。
特許請求の範囲と実施例との対応関係を実施例で使われている参照番号を用いて示すと以下の通りである。
（請求項１）
ハンドシェーク抑制によりデータ転送帯域幅を制限するための装置であって、
複数のクロック・サイクルを受信し、第１のリセット信号を発生し、前記第１のリセット信号を発生してから所定数のクロック・サイクル後に第２のリセット信号を発生するように構成された第１の装置（１５０）と、
前記第１の装置（１５０）に結合され、前記第１の装置（１５０）から前記リセット信号を受信する第２の装置（１００）であって、前記リセット信号を受信し、第１のレディ・ツー・センド（ＲＴＳ：Ｒｅａｄｙ  Ｔｏ  Ｓｅｎｄ）ハンドシェーク信号および第１のレディ・ツー・レシーブ（ＲＴＲ：Ｒｅａｄｙ  Ｔｏ  Ｒｅｃｅｉｖｅ）ハンドシェーク信号を受信し、前記第１のリセット信号の受信と前記第２のリセット信号の受信との間で前記第１のＲＴＳハンドシェーク信号および前記第１のＲＴＲハンドシェーク信号を受け取った数を表すハンドシェーク・カウントを発生するように構成された前記第２の装置（１００）と、
前記第２の装置（１００）に結合され、前記第２の装置（１００）から前記ハンドシェーク・カウントを受信する第３の装置（２００）であって、前記ハンドシェーク・カウントと最大値との比較に基づいて非作動化信号を発生するように構成された前記第３の装置（２００）と、
前記第３の装置（２００）に結合され、前記第３の装置（２００）から前記非作動化信号を受信する第４の装置（２５０）であって、前記非作動化信号に応答して、第２のＲＴＲハンドシェーク信号および前記第１のＲＴＳハンドシェーク信号を非作動化するように構成された第４の装置（２５０）と、
を備える、前記ハンドシェーク抑制によりデータ転送帯域幅を制限するための装置。
（請求項２）
前記第３の装置（２００）が、前記最大値を制御するように構成されたコントローラ（２０４）を備える、請求項１に記載のハンドシェーク抑制によりデータ転送帯域幅を制限するための装置。
（請求項３）
前記第１の装置（１５０）が、第１のアンド・ゲート（１７０）および第１のカウンタ（１５４）を備え、
前記第２の装置（１００）が、第２のカウンタ（１２０）および第２のアンド・ゲート（１０４）を備え、
前記第３の装置（２００）が、比較器（２１２）およびＤ型フリップフロップ（２２８）を備え、
前記第４の装置（２５０）が、第３のアンド・ゲート（２５４）および第４のアンド・ゲート（２７０）を備える、請求項１に記載のハンドシェーク抑制によりデータ転送帯域幅を制限するための装置。
（請求項４）
前記第２のカウンタ（１２０）が、２進カウンタを含む、請求項３に記載のハンドシェーク抑制によりデータ転送帯域幅を制限するための装置。
（請求項５）
前記第１の装置（１５０）が、実質的に第１のアンド・ゲート（１７０）および第１の２進カウンタ（１５４）からなり、
前記第２の装置（１００）が、実質的に第２の２進カウンタ（１２０）および第２のアンド・ゲート（１０４）からなり、
前記第３の装置（２００）が、実質的にコントローラ（２０４）、比較器（２１２）、およびＤ型フリップフロップ（２２８）からなり、
前記第４の装置（２５０）が、実質的に第３のアンド・ゲート（２５４）および第４のアンド・ゲート（２７０）からなる、請求項１に記載のハンドシェーク抑制によりデータ転送帯域幅を制限するための装置。
（請求項６）
ハンドシェーク抑制によりデータ転送帯域幅を制限する方法であって、
第１のクロック・サイクル数を計数するステップ（４４０）と、
第１のレディ・ツー・センド（ＲＴＳ）ハンドシェーク信号および第１のレディ・ツー・レシーブ（ＲＴＲ）ハンドシェーク信号の第１の発生数を計数するステップ（４８０）と、
前記第１のクロック・サイクル数、並びに前記第１のＲＴＳハンドシェーク信号および前記第１のＲＴＲハンドシェーク信号の前記第１の発生数に基づいて、第２のＲＴＳハンドシェーク信号および第２のＲＴＲハンドシェーク信号を抑制するステップ（５１０）と、
を含む、前記ハンドシェーク抑制によりデータ転送帯域幅を制限するための方法。
（請求項７）
前記第１のクロック・サイクル数、並びに前記第１のＲＴＳハンドシェーク信号および前記第１のＲＴＲハンドシェーク信号の前記第１の発生数に基づいて、前記第２のＲＴＳハンドシェーク信号および前記第２のＲＴＲハンドシェーク信号を抑制する前記ステップ（５１０）が、前記第１のＲＴＳハンドシェーク信号および前記第１のＲＴＲハンドシェーク信号の前記第１の発生数を第１の最大値と比較すること（４９０）を含む、請求項６に記載のハンドシェーク抑制によりデータ転送帯域幅を制限するための方法。
（請求項８）
第２のクロック・サイクル数を計数するステップ（４４０）と、
前記第１のＲＴＳハンドシェーク信号および前記第１のＲＴＲハンドシェーク信号の第２の発生数を計数するステップ（４８０）と、
前記第２のクロック・サイクル数、並びに前記第１のＲＴＳハンドシェーク信号および前記第１のＲＴＲハンドシェーク信号の第２の発生数に基づいて、前記第２のＲＴＳハンドシェーク信号および前記第２のＲＴＲハンドシェーク信号を抑制するステップ（５１０）と、
を含み、
前記第２のクロック・サイクル数、並びに前記第１のＲＴＳハンドシェーク信号および前記第１のＲＴＲハンドシェーク信号の前記第２の発生数に基づいて、前記第２のＲＴＳハンドシェーク信号および前記第２のＲＴＲハンドシェーク信号を抑制する前記ステップ（５１０）が、前記第１のＲＴＳハンドシェーク信号および前記第１のＲＴＲハンドシェーク信号の前記第２の発生数を第２の最大値と比較すること（４９０）を含む、請求項７に記載のハンドシェーク抑制によりデータ転送帯域幅を制限するための方法。
（請求項９）
ハンドシェーク抑制によりデータ転送帯域幅を制限するための装置であって、
クロック・サイクル数を計数する第１の手段（１５０）と、
第１のレディ・ツー・センド（ＲＴＳ）ハンドシェーク信号および第１のレディ・ツー・レシーブ（ＲＴＲ）ハンドシェーク信号の発生数を計数する第２の手段（１００）と、
前記第１の手段（１５０）および前記第２の手段（１００）に結合され、前記第１の手段（１５０）により計数された前記クロック・サイクル数が第１の値に達したとき前記第２の手段の計数をリセットする第３の手段（２００）と、
前記第２の手段（１００）に結合され、前記第２の手段（１００）により計数された前記第１のＲＴＳハンドシェーク信号および前記第１のＲＴＲハンドシェーク信号の前記発生数が第２の値に達したとき、第２のＲＴＲハンドシェーク信号および前記第１のＲＴＳハンドシェーク信号を抑制する第４の手段（２５０）と、
を備える、前記ハンドシェーク抑制によりデータ転送帯域幅を制限するための装置。
（請求項１０）
前記第４の手段（２５０）が、前記第２の値を受信する手段を備える、請求項９に記載のハンドシェーク抑制によりデータ転送帯域幅を制限するための装置。
（請求項１１）
前記第４の手段（２５０）に結合され、前記第２の値を制御する第５の手段を備える、請求項１０に記載のハンドシェーク抑制によりデータ転送帯域幅を制限するための装置。